(57)【特許請求の範囲】
【請求項１】
圧縮された画像信号を低い解像度から高い解像度に向かって段階的に伸張させて画像を再生する画像再生装置であって、
前記画像を表示するために設けられる画像表示手段と、
前記圧縮された画像信号を、選択された解像度の画像に伸張する画像信号伸張手段と、
前記画像信号伸張手段の解像度として、前記画像表示手段の表示性能に対応した解像度を選択する解像度選択手段と
を備えることを特徴とする画像再生装置。
【請求項２】
前記画像表示手段に表示された前記画像の一部分を、圧縮された前記画像信号の最も高い解像度に応じて再生することを特徴とする請求項１に記載の画像再生装置。
【請求項３】
前記解像度選択手段が、外部から入力された信号に応じて解像度によって異なる識別信号を発生することにより、前記入力信号に応答する応答手段を備えることを特徴とする請求項１に記載の画像再生装置。
【請求項４】
前記入力信号がクロックパルスであり、前記応答手段が前記クロックパルスの周期に同期した識別信号を出力するカウンタであることを特徴とする請求項３に記載の画像再生装置。
【請求項５】
前記画像表示手段がカメラに設けられていることを特徴とする請求項１に記載の画像再生装置。
【請求項６】
圧縮された前記画像信号が、カメラに着脱可能なメモリカードに記録されることを特徴とする請求項１に記載の画像再生装置。
【請求項７】
圧縮された画像信号を低い階調から高い階調に向かって段階的に伸張させて画像を再生する画像再生装置であって、
前記画像を表示するために設けられる画像表示手段と、
前記圧縮された画像信号を、選択された階調の画像に伸張する画像信号伸張手段と、
前記画像信号伸張手段の階調として、前記画像表示手段の表示性能に対応した諧調を選択する階調選択手段と
を備えることを特徴とする画像再生装置。
【請求項８】
前記画像表示手段に表示された前記画像の一部分を、圧縮された前記画像信号の最も高い階調に応じて再生することを特徴とする請求項７に記載の画像再生装置。
【請求項９】
前記階調選択手段が、外部から入力された信号に応じて階調によって異なる識別信号を発生することにより、前記入力信号に応答する応答手段を備えることを特徴とする請求項７に記載の画像再生装置。
【請求項１０】
前記入力信号がクロックパルスであり、前記応答手段が前記クロックパルスの周期に同期した識別信号を出力するカウンタであることを特徴とする請求項９に記載の画像再生装置。
【請求項１１】
前記画像表示手段がカメラに設けられていることを特徴とする請求項７に記載の画像再生装置。
【請求項１２】
圧縮された前記画像信号が、カメラに着脱可能なメモリカードに記録されることを特徴とする請求項７に記載の画像再生装置。
【請求項１３】
圧縮された画像信号を低い解像度から高い解像度に向って段階的に伸張させて画像を再生表示可能な画像表示手段と、
前記画像表示手段によって表示可能な解像度を示す情報を出力する解像度情報出力手段と、
前記画像表示手段によって表示可能な解像度からひとつを選択する解像度選択手段と、
選択された解像度に応じて伸張に用いる画像情報量を変化させ、圧縮された画像信号を伸張する画像信号伸張手段と
を備えることを特徴とする画像再生装置。
【請求項１４】
前記画像伸張手段が、
表示用画像データが直交変換されて空間周波数毎に規則的に配列された空間周波数データに変換された圧縮画像データを、低い空間周波数成分から高い空間周波数成分に向って複数のグループに分割するとともに、前記画像表示手段によって表示可能な解像度に応じて、前記グループの数を増減させて逆変換処理して前記圧縮画像データを伸張して復元画像データを生成する第１画像処理手段と、
前記第１画像処理手段により生成された復元画像データから、前記画像表示手段によって表示可能な解像度に応じて所定の画素数分を間引き処理して最終的な表示用画像データを生成する第２画像処理手段と
を備えることを特徴とする請求項１３に記載の画像再生装置。
【請求項１５】
前記第１画像処理手段は、低い空間周波数のグループから高い空間周波数のグループに向って逆変換処理を順次実行し、前記画像表示手段の解像度が低くなるにつれて、逆変換処理を実行するグループを低い空間周波数のグループに変更し、逆変換処理するグループ数を減少させていくことを特徴とする請求項１４に記載の画像再生装置。
【請求項１６】
圧縮された画像信号を低い階調から高い階調に向って段階的に伸張させて画像を再生表示可能な画像表示手段と、
前記画像表示手段によって表示可能な階調を示す情報を出力する階調情報出力手段と、
前記画像表示手段によって表示可能な階調からひとつを選択する階調選択手段と、
選択された階調に応じて伸張に用いる画像情報量を変化させ、圧縮された画像信号を伸張する画像信号伸張手段と
を備えることを特徴とする画像再生装置。
【請求項１７】
前記画像伸張手段が、
表示用画像データが直交変換されて空間周波数毎に規則的に配列された空間周波数データに変換された圧縮画像データを、低い空間周波数成分から高い空間周波数成分に向って複数のグループに分割するとともに、前記画像表示手段によって表示可能な階調に応じて、前記グループの数を増減させて逆変換処理して前記圧縮画像データを伸張して復元画像データを生成する第１画像処理手段と、
前記第１画像処理手段により生成された復元画像データから、前記画像表示手段によって表示可能な階調に応じて所定の画素数分を間引き処理して最終的な表示用画像データを生成する第２画像処理手段と
を備えることを特徴とする請求項１６に記載の画像再生装置。
【請求項１８】
前記第１画像処理手段は、低い空間周波数のグループから高い空間周波数のグループに向って逆変換処理を順次実行し、前記画像表示手段の階調が低くなるにつれて、逆変換処理を実行するグループを低い空間周波数のグループに変更し、逆変換処理するグループ数を減少させていくことを特徴とする請求項１７に記載の画像再生装置。
【発明の詳細な説明】
【０００１】
【発明の属する技術分野】
本発明は、例えばＣＣＤから出力された画像信号に基いてディスプレイ上に画像を再生する画像再生装置に関する。
【０００２】
【従来の技術】
近年、ＣＣＤを用いた電子カメラが普及してきた。このような電子カメラで撮影された画像信号は、通常圧縮されて記録媒体に記録される。この圧縮画像信号は記録媒体から読み取られた後、伸張され、所定のフォーマットに変換されて、ディスプレイ等の表示装置に表示される。
【０００３】
【発明が解決しようとする課題】
圧縮画像信号から画像を再生する画像再生装置では、例えば解像度または階調の低いおおまかな画像が再生された後に、解像度または階調を徐々に変化させて、最終的な画質まで高める手法（プログレッシブ方式）が用いられる。これは例えば画像データベース検索の場合、まず大まかな全体像が表示されるので早い時点で画像内容を把握することができ、マルチメディアに適した実用的な画像伸張である。
【０００４】
しかし、表示装置の解像度および階調等の表示能力が再生画像より劣っている場合には、必要以上に再生動作が行なわれたことになり、再生動作の時間が長くなるという問題が生じる。
【０００５】
本発明は、この様な点に鑑みてなされたものであり、表示装置の表示能力に応じて再生の段階を変え、再生時間を短縮することができる画像再生装置を提供することを目的としている。
【０００６】
【課題を解決するための手段】
本発明による第１の画像再生装置は、圧縮された画像信号を低い解像度から高い解像度に向かって段階的に伸張させて画像を再生する画像再生装置であって、画像を表示するために設けられ、表示可能な最も高い解像度である固有の解像度を有する画像表示手段と、圧縮された画像信号を、選択された解像度の画像に伸張する画像信号伸張手段と、画像信号伸張手段の解像度として、固有の解像度以下の解像度のみを選択する解像度選択手段とを備えることを特徴としている。
【０００７】
本発明による第２の画像再生装置は、圧縮された画像信号を低い階調から高い階調に向かって段階的に伸張させて画像を再生する画像再生装置であって、画像を表示するために設けられ、表示可能な最も高い階調である固有の階調を有する画像表示手段と、圧縮された画像信号を、選択された階調の画像に伸張する画像信号伸張手段と、画像信号伸張手段の階調として、固有の階調以下の階調のみを選択する階調選択手段とを備えることを特徴としている。
【０００８】
画像再生装置は、画像表示手段に表示された画像の一部分を、圧縮された画像信号の最も高い解像度または階調に応じて再生することが好ましい。
【０００９】
解像度選択手段は、外部から入力された信号に応じて解像度または階調によって異なる識別信号を発生することにより、入力信号に応答する応答手段を備えることが好ましい。
【００１０】
好ましくは、入力信号はクロックパルスであり、応答手段はクロックパルスの周期に同期した識別信号を出力するカウンタである。画像表示手段はカメラに設けられてもよい。圧縮された画像信号は、例えばカメラに着脱可能なメモリカードに記録される。
【００１１】
本発明による第３の画像再生装置は、圧縮された画像信号を低い解像度から高い解像度に向って段階的に伸張させて画像を再生表示可能な画像表示手段と、画像表示手段によって表示可能な解像度を示す情報を出力する解像度情報出力手段と、画像表示手段によって表示可能な解像度からひとつを選択する解像度選択手段と、選択された解像度に応じて伸張に用いる画像情報量を変化させ、圧縮された画像信号を伸張する画像信号伸張手段とを備えることを特徴としている。
【００１２】
画像伸張手段は例えば、表示用画像データが直交変換されて空間周波数毎に規則的に配列された空間周波数データに変換された圧縮画像データを、低い空間周波数成分から高い空間周波数成分に向って複数のグループに分割するとともに、画像表示手段によって表示可能な解像度に応じて、前記グループの数を増減させて逆変換処理して圧縮画像データを伸張して復元画像データを生成する第１画像処理手段と、第１画像処理手段により生成された復元画像データから、画像表示手段によって表示可能な解像度に応じて所定の画素数分を間引き処理して最終的な表示用画像データを生成する第２画像処理手段とを備える。
【００１３】
第１画像処理手段は、低い空間周波数のグループから高い空間周波数のグループに向って逆変換処理を順次実行し、画像表示手段の解像度が低くなるにつれて、逆変換処理を実行するグループを低い空間周波数のグループに変更し、逆変換処理するグループ数を減少させていくことが好ましい。
【００１４】
本発明による第４の画像再生装置は、圧縮された画像信号を低い階調から高い階調に向って段階的に伸張させて画像を再生表示可能な画像表示手段と、画像表示手段によって表示可能な階調を示す情報を出力する階調情報出力手段と、画像表示手段によって表示可能な階調からひとつを選択する階調選択手段と、選択された階調に応じて伸張に用いる画像情報量を変化させ、圧縮された画像信号を伸張する画像信号伸張手段とを備えることを特徴としている。
【００１５】
画像伸張手段は例えば、表示用画像データが直交変換されて空間周波数毎に規則的に配列された空間周波数データに変換された圧縮画像データを、低い空間周波数成分から高い空間周波数成分に向って複数のグループに分割するとともに、画像表示手段によって表示可能な階調に応じて、グループの数を増減させて逆変換処理して圧縮画像データを伸張して復元画像データを生成する第１画像処理手段と、第１画像処理手段により生成された復元画像データから、画像表示手段によって表示可能な階調に応じて所定の画素数分を間引き処理して最終的な表示用画像データを生成する第２画像処理手段とを備える。
【００１６】
第１画像処理手段は、低い空間周波数のグループから高い空間周波数のグループに向って逆変換処理を順次実行し、画像表示手段の階調が低くなるにつれて、逆変換処理を実行するグループを低い空間周波数のグループに変更し、逆変換処理するグループ数を減少させていくことが好ましい。
【００１７】
【発明の実施の形態】
以下、本発明を図示実施例を参照して説明する。
図１は第１の実施形態である画像再生装置を示すブロック図であり、電子スチルカメラとこのカメラに接続された表示装置とを示している。
【００１８】
図示しない撮影光学系により得られた光学像は、撮像素子（ＣＣＤ）２０の受光面上に結像される。この光学像は撮像素子２０において電荷信号に光電変換され、アナログの画像信号として出力される。この画像信号はＡ／Ｄ変換器２２によってデジタル信号に変換された後、いったんフレームメモリ３０に記録され、その後画像信号処理回路２４によって、種々の画像信号処理が施される。画像信号処理回路２４は、マイクロコンピュータを備えたＣＰＵ２６から出力される指令信号に従って制御される。ＣＰＵ２６には操作スイッチ２７が接続され、この操作スイッチ２７の動作に従って電子スチルカメラの動作が行なわれる。
【００１９】
画像信号処理回路２４には、フレームメモリコントローラ２８と、メモリカードコントローラ３２と、ビデオメモリコントローラ３６とが接続される。フレームメモリコントローラ２８はフレームメモリ３０の駆動や画像信号の読み書きのためのアドレス等の制御を行なう。メモリカードコントローラ３２はメモリカード３４への記録および読出しを行なう。ビデオメモリコントローラ３６はビデオメモリ３８の駆動、アドレス制御等を行なう。
【００２０】
フレームメモリ３０に格納された画像信号は、画像信号処理回路２４において圧縮され、メモリカードコントローラ３２において所定の記録様式に従った画像データに変換されて、メモリカード３４に記録される。この圧縮画像データはメモリカードコントローラ３２の制御によってメモリカード３４から読み出され、画像信号処理回路２４において、伸張処理、すなわち復号化と逆量子化と逆ＤＣＴ変換が施される。これにより元の画像と実質的に同じ画像に対応した伸張画像信号が生成され、フレームメモリ３０に格納される。なお、メモリカード３４は電子スチルカメラに対して着脱自在である。
【００２１】
伸張により得られた画像信号はフレームメモリ３０から読み出され、画像信号処理回路２４においてビデオ信号に変換されてビデオメモリ３８に格納される。ビデオメモリ３８に１画像分の画像信号が格納された後、この画像信号はビデオメモリ３８から読み出されてＬＣＤコントローラ４２へ出力される。ＬＣＤコントローラ４２では、画像信号にガンマ補正が施されるとともに、同期信号が付加され、ＬＣＤ表示用ビデオ信号が生成される。ＬＣＤ表示用ビデオ信号は表示装置４０の入力端子４３へ出力され、表示装置４０において再生画像が表示される。
【００２２】
図２を参照して画像信号処理回路２４における画像信号の圧縮について説明する。画像圧縮では、まず画像信号が画素ブロックに分割され、画素ブロック毎に直交変換すなわちＤＣＴ変換（離散コサイン変換）された後、量子化され、符号化される。
【００２３】
すなわち、図２（ａ）  に示されるような一枚の画像（１２８０×９６０  画素）は、図２（ｂ）に示されるような８×８画素の画素ブロックに分割される。図２（ｂ）  の画素値ａｋ  （１≦ｋ≦６４）は、その画素の例えば輝度に対応した値である。
【００２４】
画素ブロック毎にＤＣＴ変換が行なわれ、画像信号は空間周波数成分に分解されて、図２（ｃ）  に示されるようなＤＣＴ係数が得られる。ＤＣＴ係数ｂｋ  （１≦ｋ≦６４）は、添え字ｋが大きくなるほど高周波成分であり、図２（ｃ）に示されるように低周波成分から高周波成分に向かってマトリクスの斜め方向にジグザグに配列される。
【００２５】
各ＤＣＴ係数は、それぞれ所定の量子化係数によって量子化され、余りが丸められて、図２（ｄ）  に示されるように量子化ＤＣＴ係数ｃｋ  に変換される。量子化ＤＣＴ係数ｃｋ  に関し、低周波成分の多くは、画素値に対応して０以外の値をとり、高周波成分のいくつかは量子化によって０になる。各量子化ＤＣＴ係数ｃｋ  は周波数成分毎に複数のグループＧ１、Ｇ２、Ｇ３、Ｇ４に分割され、そのグループ毎に符号化される。符号化により得られた画像データは、所定のフォーマットでメモリカードに記録される。すなわち本実施形態では、量子化ＤＣＴ係数を複数のグループ毎に符号化するスペクトラル・セレクション方式（ｓ−ｓ  方式）が採用されている。
【００２６】
図３は、符号化された画像データのフォーマットを示す図である。周波数成分毎にグループに分割されて符号化された画像データは、そのグループ単位で一まとまりのスキャンとなる。１画像分のデータはスキャンを単位として低周波成分から順にメモリカード３４（図１）に記録される。すなわちスキャン１は最も低周波側の画像情報を有し、グループＧ１に対応している。スキャン４は最も高周波側の画像情報を有し、グループＧ４に対応している。画像データの先頭には諸パラメータを指定したヘッダーが設けられる。
【００２７】
図１、図４および図５を参照して圧縮画像データの伸張について詳述する。図４は画像データの構造を模式的に示した図であり、図５は伸張時に表示装置４０によって表示される画像を示した図である。
【００２８】
図４（ａ）  に示されるように、１画像に対応した画像データは６４個のＤＣＴ係数から成る画像情報が積み重なって構成される。まず、図４（ｂ）に示されるスキャン１の画像データが読取られ、この画像データのみが再生される。この再生により得られた画像信号はフレームメモリ３０に格納される一方、ビデオ信号に変換されてビデオメモリ３８に格納される。ビデオ信号はＬＣＤコントローラ４２を介して表示装置４０に出力され、図５（ａ）  に示されるように、低周波数成分のみから成る画像が表示される。
【００２９】
次に図４（ｃ）  に示されるスキャン２の画像データが伸張され、再生される。この再生により得られた画像信号はスキャン１に対応した画像信号とともにフレームメモリ３０に格納される。スキャン１とスキャン２の画像信号はフレームメモリ３０から読み出され、ビデオ信号に変換されてビデオメモリ３８に格納される。このビデオ信号はビデオメモリ３８から読み出され、図５（ｂ）に示されるように、スキャン１のみによる画像（図５（ａ）  参照）  より解像度の高い画像が表示される。
【００３０】
このようにしてスキャン毎に順次画像が再生され、図４（ｄ）  に示されるスキャン４の伸張が行なわれたことにより、図５（ｃ）  に示されるような最も高精細な画像が得られる。
【００３１】
上述したようにまず低周波数成分の画像が再生され順次画質が向上するような伸張方式では、ＬＣＤ４４の解像度がフレームメモリ３０に展開された画像の解像度（例えば１２８０×９６０  画素）より低い場合、例えばＬＣＤ４４の解像度が６４０  ×４８０  画素である場合、伸張動作は必要以上に行なわれたことになり、画像を得るのに無駄な時間が生じる。そこで本実施形態では、伸張動作を必要最小限に抑えるために、ＣＰＵ２６によってＬＣＤ４４の解像度を予め識別し、伸張するスキャン１〜スキャン４をＬＣＤ４４の解像度に従って選択している。
【００３２】
すなわち表示装置４０は、ＬＣＤ４４と、ＬＣＤ４４の持つ固有の解像度（以下、ＬＣＤタイプという）を識別するための解像力識別部４６とを備え、入出力端子４５を介してＣＰＵ２６に接続されており、ＬＣＤ４４の解像度に関する情報が解像力識別部４６とＣＰＵ２６の間において伝送される。
【００３３】
図６は解像力識別部４６をＣＰＵ２６とともに示すブロック図である。解像力識別部４６は例えばカウンタにより構成される。クロックパルスがＣＰＵ２６によって生成され、解像力識別部４６に供給される。解像力識別部４６では、入力されたクロックパルスがカウントされ、所定のカウント数毎に識別パルスが生成されてＣＰＵ２６へ出力される。解像力識別部４６のカウント数は、ＬＣＤタイプに応じて所定の値に定められる。
【００３４】
図７はクロックパルスと識別パルスを示す波形図であり、横軸は時刻を示している。クロックパルスは一定周期で出力され、解像力識別部４６は、クロックパルスが出力されたとき、すなわちクロックパルスの立ち上がり時（図中、丸付数字で示される時刻）に応じて動作する。なお、クロックパルスのある立ち上がりから次の立ち上がりまでの間を１クロックと呼ぶ。
【００３５】
解像力識別部４６のカウント数は、ＬＣＤ４４のＬＣＤタイプが例えばＡ（解像度１２８０×９６０  画素）である場合、１クロックおきに識別パルスが出力されるように設定されている。すなわち、ＬＣＤタイプＡの場合、識別パルスは２クロック周期で出力される。
【００３６】
ＬＣＤタイプＢ（解像度６４０  ×４８０  画素）の場合、解像力識別部４６は３クロック周期の識別パルスを出力する。同様に解像力識別部４６は、ＬＣＤタイプＣ（解像度３２０  ×２４０  画素）の場合、４クロック周期の識別パルスを出力し、ＬＣＤタイプＤ（解像度１６０  ×１２０  画素）の場合、５クロック周期の識別パルスを出力する。
【００３７】
このように、それぞれ異なる解像度を有するＬＣＤタイプＡ、Ｂ、Ｃ、Ｄの表示装置４０に設けられた解像力識別部４６は、クロックパルスが入力されるとそれぞれのＬＣＤタイプに応じた周期の識別パルスを出力する。ＣＰＵ２６では、識別パルスに基いて、ＬＣＤ４４がＡ、Ｂ、Ｃ、ＤのどのＬＣＤタイプであるか、すなわちＬＣＤ４４の解像度が容易に識別され、これにより、ＬＣＤ４４の解像度に応じた画質の画像が再生される。
【００３８】
図８は、画像の再生動作において再生されるスキャンの数と再生された画像の解像度との関係を示す図である。解像力識別部４６からＣＰＵ２６に伝送された識別パルスに基づいて、ＣＰＵ２６によってＬＣＤ４４のＬＣＤタイプが識別され、画像信号処理回路２４（図１参照）によってＬＣＤタイプに応じたスキャンの数の画像データが再生されて、フレームメモリ３０上に格納される。
【００３９】
図８に示されるように、再生される画像データのスキャンの数は、解像度が低い方から（Ｄ、Ｃ、Ｂ、Ａ）順にｎ１  、ｎ２  、ｎ３  、ｎ４  （ｎ１  ＜ｎ２  ＜ｎ３  ＜ｎ４  ）とタイプ別に決定される。なお、フレームメモリ３０上に格納できる画像信号に対応したスキャンの数の最大値はｎ４  以上である。
【００４０】
また再生動作において、表示装置４０によって表示される画像信号はＬＣＤ４４の解像度に応じて間引かれる。間引き数は、再生動作によって得られた１画像の全画素（例えば１２８０×９６０  ）から、ＬＣＤ４４によって表示可能な画素（例えば１６０  ×１２０  ）を選択するために決定され、解像度が低い順に７、３、１、０である。すなわち間引き数は、フレームメモリ３０上に再生された全画素において、ＬＣＤ４４における隣接する２画素に対応する各画素間に存在する画素の数である。例えばＬＣＤタイプＤの場合、縦横ともに７画素おきにビデオメモリ３８に格納され、ＬＣＤ４４に画像が表示される。これはＬＣＤ４４の解像度すなわち画素数が１６０  ×１２０  であるため、フレームメモリ３０における画素数１２８０×９６０  に対し、縦横ともに１／８  の画素しか表示できないためである。
【００４１】
次に図９および図１０のフローチャートを参照して、画像表示処理のプログラムを説明する。
ステップＳ１０２では、ＣＰＵ２６によってクロックパルスが解像力識別部４６に対して出力され、これにより解像力識別部４６から識別パルスが出力される。ＣＰＵ２６では、識別パルスに基いてＬＣＤ４４のＬＣＤタイプが識別される。例えば、識別パルスが４クロックおきに出力されれば、ＬＣＤ４４はＬＣＤタイプＣであると判定される。
【００４２】
ステップＳ１０４では、識別されたＬＣＤタイプがＡであるか否かが判定される。ＬＣＤタイプＡである場合、スキャン数Ｎがｎ４  に定められ（ステップＳ１０６）、間引き数Ｍが０に定められて（ステップＳ１０８）、ステップＳ１３０へ進む。ステップＳ１０４において、識別されたＬＣＤタイプがＡでないと判定されたとき、ステップＳ１１０に進む。
【００４３】
ステップＳ１１０では、ＬＣＤタイプがＢであるか否かが判定され、Ｂであればスキャン数Ｎがｎ３  に定められ（ステップＳ１１２）、間引き数Ｍが１に定められて（ステップＳ１１４）、ステップＳ１３０へ進む。ステップＳ１１０において、ＬＣＤタイプがＢでないと判定されたとき、ステップＳ１１６に進む。
【００４４】
ステップＳ１１６ではＬＣＤタイプがＣであるか否かが判定され、Ｃであればスキャン数Ｎがｎ２  に定められ（ステップＳ１１８）、間引き数Ｍが３に定められて（ステップＳ１２０）、ステップＳ１３０へ進む。
【００４５】
ステップＳ１１６においてＬＣＤタイプがＣでないと判定されたとき、ＬＣＤタイプはＤであり、スキャン数Ｎがｎ１  に定められ（ステップＳ１２２）、間引き数Ｍが７に定められて（ステップＳ１２４）、ステップＳ１３０へ進む。
【００４６】
以上のように、ＬＣＤタイプ別にスキャン数Ｎと間引き数Ｍが決定されると、ステップＳ１３０においてスキャン数Ｎに基づいて画像信号が再生され、フレームメモリ３０に格納される。ステップＳ１３２では、画像は縦横ともにＭ画素ごとにビデオメモリに格納され、ＬＣＤ４４に表示される。このステップＳ１３０、Ｓ１３２における再生動作では、図４および図５を参照して説明したように、画像データはスキャン１、２、３、４の順に再生され、ＬＣＤ４４に表示される画像の解像度は段階的に高くなる。例えばＬＣＤ４４がタイプＢであるとき、ステップＳ１３０、Ｓ１３２はそれぞれ３回ずつ実行され、スキャン１、２、３の画像データが再生される。
【００４７】
ステップＳ１３４は、Ａ／Ｄ変換器２２から出力された元の画像信号の画素数がＬＣＤ４４の解像度よりも多い場合であっても、メモリカード３４から元の画像信号の全画素を再生するために設けられている。すなわちステップＳ１３４では、メモリカード３４に格納された圧縮画像データが最終スキャン数ｎ５  まで読み出されて伸張され、フレームメモリ３０に格納される。
【００４８】
ステップＳ１３６では、ＬＣＤ４４において１つの画像の一部を拡大して表示するか否かが判定される。一部を拡大表示しない場合、この画像表示処理プログラムは終了する。一部を拡大表示する場合、ステップＳ１３８においてＬＣＤ４４上で表示する部分が、例えばマウスやカーソル等を用いて指定される。ステップＳ１４０では、指定された部分に対応した画像信号がフレームメモリ３０から読み出されてビデオメモリ３８に格納され、その画像信号に対応した画像がＬＣＤ４４によって表示される。これにより画像表示処理プログラムは終了する。
【００４９】
以上のように第１の実施形態の画像表示装置では、表示装置４０が外部すなわちＣＰＵ２６からの信号に対して固有の識別信号を応答するので、表示装置４０の解像度が容易に識別され、必要なスキャン数だけ再生することができる。したがって、必要以上の再生動作は行なわれず、画像表示における無駄な時間が削減される。また必要に応じて、表示装置４０の解像度を越えた画像を、その一部を切り取って表示することができる。
【００５０】
次に第２の実施形態について説明する。この実施形態では、圧縮画像データは階調が段階的に向上するように伸張される。なお、第１の実施形態と同じ構成は詳述しない。
【００５１】
階調はビット数で表現され、例えば８ビットの画像であれば２８  ＝２５６段階で輝度あるいは色差が表現される。図１１（ａ）  に示すように、量子化された画像信号は図中横方向に沿って８つのビットで表される。図中一番左側のビットは最上位ビットであり、図中一番右側のビットは最下位ビットである。量子化ＤＣＴ係数の最上位ビットは、最も粗い階調の画像情報であり、最下位ビットの情報は最も細かい階調の画像情報である。
【００５２】
第２の実施形態では画像信号はビット単位で扱われ、例えば図３に示す画像データのスキャン１は、量子化ＤＣＴ係数において最上位ビットを含む上位４ビットが符号化されることにより得られる。最終スキャンｘは、量子化ＤＣＴ係数において最下位ビットが符号化されて得られる。すなわち、画像はビット単位で上位ビットから順に圧縮され、本実施形態では、量子化ＤＣＴ係数を最上位ビットから最下位ビットに向って順次符号化するサクセッシブ・アプロキシメーション方式（ｓ−ａ  方式）が採用されている。
【００５３】
圧縮画像データを伸張する場合、図３に示す画像データのスキャン１が読み取られ、図１１（ｂ）  に示されるように、まず最上位ビットを含むスキャン１だけの画像信号が再生されてフレームメモリ３０に格納され、画像がブロック毎に順に再生される。次にスキャン２のデータが伸張されて、図１１（ｃ）  に示されるスキャン２の画像信号が再生され、スキャン１とスキャン２の画像信号に基いて、スキャン１のみによる画像より階調の細かい画像が得られる。このように、スキャン毎、すなわちビット毎に順次画像が再生されると、図１１（ｄ）  の最終スキャンｘの伸張が終了した時点で、最も階調の細かい画像が得られる。
【００５４】
Ａ、Ｂ、Ｃ、Ｄの順に階調が粗くなる４種類のＬＣＤ、例えばＡタイプは８ビット、Ｂタイプは６ビット、Ｃタイプは４ビット、Ｄタイプは２ビットと仮定する。第１の実施形態と同様に、図８に示されるように、表示用データのスキャン数は、階調が粗い方から（Ｄ，Ｃ，Ｂ，Ａ）順にｎ１  、ｎ２  、ｎ３  、ｎ４  （ｎ１  ＜ｎ２  ＜ｎ３  ＜ｎ４  ）とタイプ別に決定される。ＣＰＵ２６がＬＣＤ４４のタイプを識別する手段は第１の実施形態と同様である（図６、図７参照）。
【００５５】
例えば、ＢタイプのＬＣＤ４４を備えた表示装置４０では、解像力識別部４６は、ＣＰＵから入力されたクロックパルスに対し、３クロック周期の識別パルスをＣＰＵ２６に出力する（図７参照）。ＣＰＵ２６では、識別パルスによりＬＣＤ４４がＢタイプすなわち６ビット階調であることが識別され、スキャン数が決定される。画像信号処理回路２４では、このスキャン数に対応した画像信号が再生され、６ビットの再生画像信号がフレームメモリ３０に格納される。この再生画像信号は、ビデオメモリ３８に記録されるとともに、ＬＣＤコントローラ４２へ出力され、これによりＬＣＤ４４において画像が表示される。
【００５６】
図１２は第２の実施形態における画像表示処理プログラムのフローチャートの前半部分であり、後半部分は図１０と全く同じである。図１２は、図９に示される第１の実施形態の画像表示処理プログラムと比較し、間引き数を決定しないこと以外はほぼ同一であり、図９と対応するステップには１００を加算して示し、ここでは詳述しない。
【００５７】
第１の実施形態と同様に、第２の実施形態の画像表示装置では、表示装置４０がＣＰＵ２６からのクロックパルスに対して、ＬＣＤ４４の持つ固有の階調に対応した識別パルスを応答するので、ＣＰＵ２６が階調を容易に識別できる。したがって表示に必要なスキャン数だけ画像データを再生すればよく、必要以上の再生動作がおこなわれず、再生動作における無駄な時間がなくなる。
【００５８】
【発明の効果】
以上のように本発明によれば、表示装置の表示能力に応じて再生の段階を変え、再生時間を短縮することができる。
【図面の簡単な説明】
【図１】本発明による画像再生装置の第１の実施形態の電気的構成を示すブロック図である。
【図２】図１に示す画像再生装置における画像の圧縮処理を模式的に示す図である。
【図３】図１に示す画像再生装置における圧縮画像のフォーマットを示す模式図である。
【図４】図１に示す画像再生装置における圧縮画像データの構成を模式的に示す図である。
【図５】図１に示す画像再生装置における画像の再生を段階的に示す図である。
【図６】図１に示す画像再生装置の解像力識別部の構成を示す図である。
【図７】図２に示す解像力識別部の動作を示す図である。
【図８】図１に示す画像再生装置におけるスキャン数と解像度との関係を示す図である。
【図９】図１に示す画像再生装置の動作の前半を示すフローチャートである。
【図１０】図１に示す画像再生装置の動作の後半を示すフローチャートである。
【図１１】本発明による第２の実施形態の画像再生装置における圧縮画像データの構成を模式的に示す図である。
【図１２】図１１に示す画像再生装置の画像表示処理を示すフローチャートである。
【符号の説明】
２０  撮像素子
２４  画像信号処理回路
２６  ＣＰＵ
３０  フレームメモリ
３４  メモリカード
３８  ビデオメモリ
４０  表示装置
４２  ＬＣＤコントローラ
４４  ＬＣＤ
４３、４５  入出力端子
４６  解像力識別部
【図１】
0003623882.tif 000002
【図２】
0003623882.tif 000003
【図３】
0003623882.tif 000004
【図４】
0003623882.tif 000005
【図５】
0003623882.tif 000006
【図６】
0003623882.tif 000007
【図７】
0003623882.tif 000008
【図８】
0003623882.tif 000009
【図９】
0003623882.tif 000010
【図１０】
0003623882.tif 000011
【図１１】
0003623882.tif 000012
【図１２】
0003623882.tif 000013